(57)【要約】    【構成】  携帯電話機の通話補助装置１０は抱擁体１２を含み、抱擁体には携帯電話機２０を収納するポケットを形成する。通話状態の携帯電話機２０がポケット内にある状態で、ユーザは、右腕を上側の腕通し部２４ａ内に挿入し、左腕を、下側の腕通し部２４ｂ内に挿入する。腕通し部２４ａから露出した右手の掌で抱擁体の頭部をユーザの頭の方へ押して、携帯電話機をできるだけ耳に近づけて、携帯電話機２０で通話する。つまり、ユーザは、抱擁体１２を抱擁しながら携帯電話機２０で通話する。    【効果】  ユーザは、自分の体に抱擁体が密着することによって、安心感を得て、それによって癒しを実感するとともに、腕通し部によるユーザの前腕の皮膚の刺激による更なる癒し効果を享受できる。【選択図】  図２
2015013067.tif 000002
【特許請求の範囲】
【請求項１】
ユーザが抱擁することができる抱擁体であって、
外被、
前記外被内に設けられる内蔵物、および
前記外被の外側に設けられ、前記抱擁体を抱擁したユーザの腕の皮膚を刺激する刺激部を備える、抱擁体。
【請求項２】
前記刺激部は前腕背側の皮膚を刺激する、請求項１記載の抱擁体。
【請求項３】
前記刺激部は、ユーザの腕を通す腕通し部を含む、請求項１または２記載の抱擁体。
【請求項４】
前記腕通し部は左右の腕に個別に対応して設けられる、請求項３記載の抱擁体。
【請求項５】
前記外被および前記内蔵物の上部と下部とをつなぐくびれ部をさらに備える、請求項１ないし４のいずれかに記載の抱擁体。
【請求項６】
請求項１ないし５のいずれかに記載の抱擁体を利用した携帯電話機の通話補助装置であって、
前記抱擁体に設けられるポケットをさらに備え、前記ポケットに携帯電話機を入れた状態で通話できる、通話補助装置。
【発明の詳細な説明】
【技術分野】
【０００１】
この発明は遠隔対話装置および携帯電話機の通話補助装置に関し、特にたとえば、人間が手で抱くことができる、抱擁体およびそれを用いた携帯電話機の通話補助装置に関する。
【背景技術】
【０００２】
この発明の背景技術の一例が特許文献１に開示される。特許文献1では、ぬいぐるみの表面温度を人体の体温付近の温度に温める加温体を設けることによって、介護用ぬいぐるみに癒し効果を発揮させることを提案している。特許文献１の技術では、図８に示すように、被介護者がぬいぐるみを膝の上に置いて、そのぬいぐるみを撫でるなどすることによって癒し効果を求めている。
【０００３】
癒し効果を発揮するように考案されたぬいぐるみロボットが特許文献2に開示されている。このぬいぐるみロボットでは、糸に作用することによってぬいぐるみロボットを動作させるようにし、動作部分の持つ違和感を解消しようとするものである。特許文献2では、ぬいぐるみロボットを置いた状態で糸によって可動部を動作させるようにしている。
【先行技術文献】
【特許文献】
【０００４】
【特許文献１】特開2006-20961号公報 [A63H 33/00, A61F 7/08. A63H 3/02]
【特許文献２】特開2009-291328号公報[A63H 11/00, B25J 13/08 06. A63H 3/02]
【発明の概要】
【発明が解決しようとする課題】
【０００５】
特許文献１の介護用ぬいぐるみおよび特許文献2のぬいぐるみロボットのいずれも、ユーザとぬいぐるみの距離が遠く、必ずしも大きな癒し効果が期待できない。
【０００６】
それゆえに、この発明の主たる目的は、新規な、抱擁体および携帯電話機の通話補助装置を提供することである。
【０００７】
この発明の他の目的は、より大きい癒し効果を発揮できる、抱擁体および携帯電話機の通話補助装置を提供することである。
【課題を解決するための手段】
【０００８】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００９】
第１の発明は、ユーザが抱擁することができる抱擁体（12）であって、外被（14）、外被（14）内に設けられる内蔵物（16）、および外被の外側に設けられ、抱擁体を抱擁したユーザの腕の皮膚を刺激する刺激部（24、24a,24b）を備える、抱擁体である。
【００１０】
第１の発明では、ユーザは、たとえば抱擁体がユーザの体に密着するように抱擁体の後ろに腕を回して抱擁体を抱擁する。抱擁体を抱擁したユーザの腕の皮膚を刺激部、が刺激する。抱擁体を抱擁していることによる癒し効果に加えて、腕の皮膚が刺激を受けることによる癒し効果が発揮されるので、ユーザに対してより大きい癒し効果を与えることができる。
【００１１】
第２の発明は、第１の発明に従属し、刺激部は前腕背側の皮膚を刺激する、抱擁体である。
【００１２】
第２の発明では、刺激部が腕のＣＴ線維の受容野を刺激することになるので、より大きい癒し効果が期待できる。
【００１３】
第３の発明は、第１または第２の発明に従属し、刺激部は、ユーザの腕を通す腕通し部（24、24a,24b）を含む、抱擁体である。
【００１４】
第３の発明では、ユーザは腕通し部に腕を通すだけで、腕の皮膚への刺激による癒し効果を確実に享受できる。
【００１５】
第４の発明は、第３の発明に従属し、腕通し部（24a,24b）は左右の腕に個別に対応して設けられる、抱擁体である。
【００１６】
第４の発明では、左右の腕にそれぞれ対応する個別の腕通し部を形成するので、その腕通し部によって抱擁体を抱擁する時の理想的な腕の位置や状態を示すことができる。したがって、抱擁体を正しく抱擁することができるので、癒し効果を最大限発揮させることができる。
【００１７】
第５の発明は、第１ないし第４のいずれかの発明に従属し、外被および内蔵物の上部と下部とをつなぐくびれ部（22）をさらに備える、抱擁体である。
【００１８】
第５の発明では、くびれ部を設けることによって、抱擁体の上部が比較的変位し易くなるので、ユーザは抱擁体の上部を自分の頭の方へ押し付けることができ、抱擁体の上部が自分の頬に密接することによる更なる癒し効果を期待できる。
【００１９】
第６の発明は、第１ないし第５のいずれかの発明の抱擁体を利用した携帯電話機の通話補助装置であって、抱擁体に設けられるポケットをさらに備え、ポケットに携帯電話機を入れた状態で通話できる、通話補助装置である。
【００２０】
第６の発明では、抱擁体を抱擁することによる上述の癒し効果に加えて、携帯電話機で通話することによる癒し効果をさらに期待できる。
【発明の効果】
【００２１】
この発明によれば、抱擁体を抱擁したユーザの腕の皮膚を刺激できるので、抱擁体を抱擁していることによる癒し効果に加えて、腕の皮膚が刺激を受けることによる癒し効果が発揮されるので、ユーザに対してより大きい癒し効果を与えることができる。
【００２２】
また、このような抱擁体を利用した携帯電話機の通話補助装置によれば、ユーザは、抱擁体の持つより大きい癒し効果を受けながら、携帯電話機による通話を行うことができる。
【００２３】
この発明の上述の目的，その他の目的，特徴および利点は、図面を参照して行う以下の実施例の詳細な説明から一層明らかとなろう。
【図面の簡単な説明】
【００２４】
【図１】図１はこの発明の抱擁体の一例である携帯電話機の通話補助装置の一実施例を示す図解図であり、図１（Ａ）は正面側を示し、図１（Ｂ）は背面側を示し、図１（Ｃ）は右側面を示し、図１（Ｄ）は図１（Ｂ）に示す線における断面を示す図解図である。
【図２】図２は図１に示す実施例の通話補助装置を用いて携帯電話機による通話を行っている状態を示す図解図である。
【図３】図３はこの発明の抱擁体の一例である携帯電話機の通話補助装置の他の実施例を示す図解図である。
【図４】図４は図３に示す実施例の通話補助装置を用いて携帯電話機による通話を行っている状態を示す図解図である。
【図５】図５はこの発明の抱擁体の一例である携帯電話機の通話補助装置の他の実施例を示す図解図である。
【図６】図６は図５に示す実施例の通話補助装置を用いて携帯電話機による通話を行っている状態を示す図解図である。
【図７】図７はこの発明の抱擁体の一例である携帯電話機の通話補助装置の他の実施例を示す図解図である。
【図８】図８はこの発明の抱擁体の一例である携帯電話機の通話補助装置の他の実施例を示す図解図である。
【図９】図９はこの発明の抱擁体の一例である携帯電話機の通話補助装置の他の実施例を示す図解図である。
【図１０】図１０はこの発明の抱擁体の一例である携帯電話機の通話補助装置の他の実施例を示す図解図である。
【図１１】図１１は図１０に示す実施例の通話補助装置を用いて携帯電話機による通話を行っている状態を示す図解図である。
【図１２】図１２はこの発明の抱擁体の一例である携帯電話機の通話補助装置の他の実施例を示す図解図である。
【図１３】図１３は他の実施例の通話補助装置の動きを示す図解図である。
【図１４】図１４はこの発明の抱擁体の一例である携帯電話機の通話補助装置の他の実施例を示す図解図である。
【図１５】図１５はこの発明の抱擁体の一例である携帯電話機の通話補助装置のその他の実施例を示す図解図である。
【図１６】図１６はこの発明の抱擁体の一例である携帯電話機の通話補助装置の図３実施例の変形例を示す図解図である。
【図１７】図１７は図１６に示す実施例の通話補助装置を用いて携帯電話機による通話を行っている状態を示す図解図である。
【発明を実施するための形態】
【００２５】
図１を参照して、この実施例の携帯電話機の通話補助装置（以下、単に「通話補助装置」という。）１０は、抱擁体１２を含む。抱擁体１２とはユーザが腕を回して抱擁（ハグ）できる物体を意味し、この実施例では、抱擁体１２は、一例として、人間のミニマルデザインに基づく外観、形状を有するように作られる。つまり、実施例の抱擁体１２は、人の頭に相当してかつ頭と見える頭部１２ａと、その下の、人の胴体に相当してかつ胴体と見える胴体部１２ｂと、胴体部から左右に延びる、人の手および腕に相当して手および腕と見える腕部１２ｃと、胴体の下部であって人の足に相当しかつ足と見える足部１２ｄとを含む。抱擁体１２のサイズは、全体として７０‐８０ｃｍの背の高さを有し、太さはユーザが腕を回して抱擁できる程度の大きさ、たとえば胴体部１２ｂの直径はおよそ６０ｃｍ±１０ｃｍ程度に設定される。
【００２６】
ただし、抱擁体１２の外観、形状は図１のものに限られるものではない。
【００２７】
抱擁体１２は、特に図１（Ｄ）の断面図からよくわかるように、たとえば上述のような外観を有する外被１４を含み、この外被１４の中に、内蔵物１６が内蔵される。外被１４は任意の材料からなる生地、たとえば布状の生地、網状の生地、膜またはシート状の生地などで作ることができるが、実施例では、たとえばサテンのような布を縫製して作っている。外被１４の材料としては、その他、シリコンや塩化ビニルなどの合成樹脂などが利用可能である。そして、抱擁体１２はその名のとおり、ユーザに抱かせるものであるので、外被１４としては、肌触りのよい素材であって、できるだけ抗菌性や防汚性のあるものが好ましい。
【００２８】
外被１４の中に収容される内蔵物１６は、たとえば発泡ウレタンや綿などを外被１４と同様の形状に予め成形したものであってもよく、たとえば発泡スチロールなど合成樹脂のビーズ（たとえば直径１ｍｍ程度）であってもよい。前者の場合は、内蔵物１６自体が抱擁体１２の外観形状を形成するので、内蔵物１６の上に外被１４を被せるだけでよいが、後者の場合には、内蔵物１６自体は定形を持っていないので、先に準備した外被１４の中にビーズを詰め込むという手順で抱擁体１２を作ることになる。いずれの場合にも、抱擁体１２すなわち内蔵物１６は弾性を持っていても、弾性を持っていなくてもよい。しかしながら、重すぎないことが望ましいので、発泡樹脂などが内蔵物１６の材料として好適する。
【００２９】
さらに、内蔵物１６として、抱擁体１２の外観、形状と同型の合成樹脂やゴムの袋に気体や液体を入れた、風船や水風船などを利用することも考えられる。
【００３０】
このような抱擁体１２の、人間の頭に相当する部分すなわち頭部１２ａの側面、実施例では右側面には、ポケット１８が形成される。このポケット１８は、抱擁体１２を通話補助装置として使用するときに、図１（Ｃ）に示すように、スマートフォンのような携帯電話機２０をその中に収容しておくためのものである。
【００３１】
抱擁体１２の頭部１２ａとその下の胴体部１２ｂとの間にはくびれ部２２が形成されていて、このくびれ部２２は、頭部１２ａの変位を可能にするためのものである。たとえば、頭部１２ａをユーザの頭の方に引き寄せるように変位させることによって、頭部１２ａのポケット１８に収容している携帯電話機２０をできるだけユーザの耳に近づけることができる。ポケット１８内に携帯電話機を入れていない状態でも、頭部１２ａをユーザの頬などに接触するように、頭部１２ａをユーザの頭の方に引き寄せるのに都合がよい。
【００３２】
図１に示す実施例の通話補助装置１０すなわち抱擁体１２の背面には、図１（Ｂ）および図１（Ｄ）からよくわかる、外被１４の外面の上下に腕通し部２４ａおよび２４ｂを、形成している。腕通し部２４ａおよび２４ｂは、抱擁体１２をユーザが抱擁するときにユーザの腕がそこを通るように意図した部分であり、実施例では、布を縫製して作った外被１４の外側に、たとえば一定幅の帯状の布を縫い付けて形成する。腕通し部２４ａおよび２４ｂはいずれも、抱擁体１２を抱擁するユーザの腕が最適の位置になるように、図１（Ａ）の正面図上で左上がりに形成されている。
【００３３】
実施例では、上の腕通し部２４ａは、右側の腕部１２ｃの背中側の付け根から胴体部１２ｂの背中を通って、左側の腕部１２ｂとくびれ部２２との接合部（人間でいえば「肩」に相当する部位）まで延びて、左上がりに形成される。下の腕通し部２４ｂは、胴体部１２ｂの下部（あるいは胴体部１２ｂと足部１２ｄとの境目付近）の背中を通って、左上がりに形成される。腕通し部２４ａおよび２４ｂの両端には、それぞれ、図１（Ｂ）に示す、腕の出入口２４ａａおよび２４ｂａが形成されている。
【００３４】
腕通し部２４ａおよび２４ｂはそれぞれ、図１（Ｄ）からよくわかるように、一定の隙間を形成していて、その隙間にユーザの腕を通すようになっている。ただし、その隙間は、ユーザの腕がゆったりと通るような大きさではなく、むしろきつく感じる程度の大きさであり、ユーザの腕を腕通し部２４ａおよび２４ｂに通したとき、腕通し部２４ａおよび２４ｂを形成する帯状の布の内面が腕の皮膚に接触する程度の大きさに形成される。
【００３５】
図１に示す通話補助装置１０を利用する場合、ユーザは、通話状態のスマートフォンのような携帯電話機２０を、ポケット１８に入れる。ただし、音声によって発呼して通話状態にすることができる機能（音声コントロール機能）を携帯電話機２０が持っている場合には、オフ状態の携帯電話機２０をそのままポケット１８に入れ、その後、ユーザの音声によって通話状態にすればよい。
【００３６】
通話状態の携帯電話機２０がポケット１８内にある状態で、ユーザは、図２に示すように、右腕を、上側の腕通し部２４ａの入口２４ａａ（図１（Ｃ）において見えている。）から腕通し部２４ａ内に挿入し、手の部分が出口２４ａａから露出するように、腕通し部２４ａを挿通させる。左腕を、下側の腕通し部２４ｂの入口２４ｂａから腕通し部２４ｂ内に挿入し、手の部分が出口２４ｂａから露出するように、腕通し部２４ｂを挿通させる。その状態では、腕通し部２４ａおよび２４ｂに右腕および左腕が前腕から上腕まで深く挿入されるので、抱擁体１２の正面側がユーザの正面に密着しかつ抱擁体１２の背面にしっかりと両腕が回された状態になる。ユーザは、自分の体に抱擁体が密着することによって、安心感を得て、それによって癒しを実感する。
【００３７】
発明者等の実験によれば、図１のような通話補助装置１０を用い、抱擁体１２をたとえば図２のように抱擁しながら携帯電話機２０で通話すると、血中（唾液中においても）のコルチゾールの減少が確認された。コルチゾールはストレスに関与するホルモンであり、コルチゾールが減少するということはストレスが減少したことを意味する。したがって、抱擁体１２を抱擁しながら携帯電話機２０で通話すると、ストレスの緩和による癒し効果が期待できるのである。
【００３８】
上述の実験で確認できた癒し効果に加えて、さらに、腕のＣＴ線維の受容野を刺激すると心地よく感じるという医学的知見に基づいて、この実施例では、腕通し部２４ａおよび２４ｂを形成する帯状の布の内面が前腕背側の皮膚（手の甲と同じ側の皮膚）に接触してそこに刺激を与えるようにしている。このような腕のＣＴ線維の受容野を刺激によるさらなる癒し効果が期待できる。
【００３９】
なお、ＣＴ線維の受容野を刺激することによる癒し効果は、特に前腕背側の皮膚を刺激したときに顕著に表れるので、腕通し部２４ａおよび２４ｂのような、刺激手段は少なくとも前腕背側の皮膚を刺激できればよい。しかしながら、前腕掌側（掌と同じ側）の皮膚を同時に刺激してもよい。実施例では、外被１４が前腕掌側の皮膚を刺激することができる。
【００４０】
携帯電話機２０での通話のために、ユーザは、携帯電話機２０と自分の耳とをできるだけ近づけるように、腕通し部２４ａを挿通した右腕の手で抱擁体１２の頭部１２ａをユーザの頭の方に押し付ける。そうすれば、頭部１２ａすなわち携帯電話機２０の位置が安定的に保持されるので、通話が安定的に行えるとともに、抱擁体１２の頭部１２ａがユーザの頬に接触するようになるので、さらなる癒しをユーザに与えることができる。
【００４１】
図３は通話補助装置１０の他の実施例を示し、この実施例では、図１に示す実施例に比べて、以下の点が異なる。同一または類似の部分には同一または類似の参照符号を付すことによって、重複する説明は省略する。
【００４２】
図１実施例では、抱擁体１２の背面に２つの別々の腕通し部２４ａおよび２４ｂを形成した。これに対して、図３に示す実施例では、抱擁体１２は、背面において胴体部１２ｂから足部１２ｄまでつながる、幅広の帯状の布を外被１４に縫い付け、それによってユーザの両腕が挿通される１つの腕通し部２４を形成している。幅広の帯状の両側端が腕の出入口２４ｃａとして形成される。この腕通し部２４を形成する布と外被１４との間の隙間は、図１実施例の腕通し部２４ａおよび２４ｂの隙間と同様の理由（前腕の皮膚を効果的
に刺激する。）で、あまり大きくしない。
【００４３】
図３に示す通話補助装置１０を利用する場合、ユーザは、通話状態の携帯電話機２０がポケット１８内にある状態で、図４に示すように、左右の腕を、腕通し部２４内に、手の部分が露出するように挿入する。図４の場合も、ユーザの腕の位置は図２の場合とほぼ同じであり、右手で抱擁体１２の頭部１２ａを自身の頭の方に押す。
【００４４】
図４の場合でも、抱擁体１２の正面側がユーザの正面に密着しかつ抱擁体１２の背面に両腕が回された状態になる。ユーザは、自分の体に抱擁体が密着することによって、安心感を得て、それによって癒しを実感する。それとともに、抱擁体１２の背面に回した両腕の前腕背側（体毛が生えている側）の皮膚が腕通し部２４を形成する幅広の状の布の内面に接触してそこから刺激を受けることによって、ユーザはさらなる癒しを実感できる。
【００４５】
図５は通話補助装置１０の他の実施例を示し、この実施例では、図１に示す実施例に比べて、以下の点が異なる。同一または類似の部分には同一または類似の参照符号を付すことによって、重複する説明は省略する。
【００４６】
図１実施例では、抱擁体１２の背面に２つの別々の腕通し部２４ａおよび２４ｂを形成した。これに対して、図５に示す実施例では、抱擁体１２の外被１４の外側に、たとえばＴシャツのような形状の別の衣服を被せることによって、１つの腕通し部２４を形成するようにしている。この場合、Ｔシャツの裾と首が腕の出入口２４ｄａとなる。そして、その出入口２４ｄａからＴシャツと外被１４との間の隙間にユーザの腕を挿通し、手を露出させることができる。ただし、Ｔシャツと外被１４との間の隙間は、図１実施例の腕通し部２４ａおよび２４ｂの隙間と同様の理由（前腕の皮膚を刺激する）で、あまり大きくしない。また、Ｔシャツの裾は足部１２ｄの上部ぐらいまでで止める。裾があまり下になりすぎると、ユーザが腕通し部２４の隙間に腕を通すのが難しくなる可能性がある。
【００４７】
図５に示す通話補助装置１０を利用する場合、ユーザは、通話状態の携帯電話機２０がポケット１８内にある状態で、図６に示すように、左右の腕を、出入口２４ｄａからＴシャツで形成した腕通し部２４内に挿入し、出入口２４ｄａから手の部分を露出させる。図６の場合も、ユーザの腕の位置は図２の場合とほぼ同じであり、右手で抱擁体１２の頭部１２ａを自身の頭の方に押すことができる。
【００４８】
図６の場合でも、ユーザは、自分の体に抱擁体が密着することによる癒しに加えて、抱擁体１２の背面に回した前腕背側の皮膚の刺激による癒しを実感できる。
【００４９】
図７は通話補助装置１０の他の実施例を示し。この実施例では、抱擁体１２を抱くユーザの腕が通る位置（図１実施例での腕通し部２４ａおよび２４ｂの位置に相当する。）に、ヒータ２６ａおよび２６ｂ（たとえばシリコンラバーヒータなど）を埋め込む。具体的には、その位置において、外被１４（図１（Ｄ））の内面にシリコンラバーヒータを張り付けたり縫い付けたりしておき、その状態で内蔵物１６を内蔵する。そのとき、必要なら電池（図示せず）も内蔵し、外部からそのシリコンラバーヒータをオン／オフできるようにする。
【００５０】
この実施例では、ヒータ２６ａおよび２６ｂによって、抱擁体１２を抱いたユーザの腕を温めることができるので、加温による癒し効果がさらに期待できる。
【００５１】
ただし、ヒータとしては、面ヒータを特定部位に内蔵するだけでなく、ヒータ線を抱擁体１２の全体に張り巡らすようにしてもよい。
【００５２】
図８は通話補助装置１０の他の実施例を示し。この実施例では、抱擁体１２の頭部１２ａに、別のポケット２８を設けておき、そのポケット２８の中に適宜の匂いを発生するにおい袋３０を収納しておく。
【００５３】
この実施例では、におい袋３０からの匂いによって、たとえばアロマセラピー（aromatherapy）におけるように、ユーザに更なる癒し効果を与えることができる。
【００５４】
ただし、抱擁体１２から匂いを発生させる手段は、実施例のにおい袋３０に限定されるものではなく、抱擁体１２から匂いを発生させることができる任意の手段を用いることができる。
【００５５】
図９は通話補助装置１０の他の実施例を示し。この実施例では、抱擁体１２を抱くユーザの腕が通る位置（図１実施例での腕通し部２４ａおよび２４ｂの位置に相当する。）に、ＬＥＤのような発光体３２ａおよび３２ｂを埋め込む。具体的には、その位置において、外被１４（図１（Ｄ））の内面に発光体３２ａおよび３２ｂを張り付けたり縫い付けたりしておき、その状態で内蔵物１６を内蔵する。そのとき、必要なら電池（図示せず）も内蔵し、外部からその発光体３２ａおよび３２ｂをオン／オフできるようにする。
【００５６】
この実施例では、発光体３２ａおよび３２ｂが発光することによって、ユーザに、抱擁体１２のどこに腕を回せばよいかを教えることができるので、抱擁体１２を確実にユーザの体に密着させることができる。したがって、密着による癒し効果を確実に発揮できる。
【００５７】
図１０の実施例では、通話補助装置１０は、図１実施例と同様に、布などを用いた外被１４およびその中に収納されたたとえば発泡樹脂のビーズのような内蔵物１６を有する抱擁体１２を含み、抱擁体１２の頭部１２ａの側面には、携帯電話機２０を収容するためのポケット１８が形成されている。この実施例ではさらに、抱擁体１２の胴体部１２ｂおよび足部１２ｄに跨って、内蔵物１６の中に、断面長円形のバルーン３８が収納される。このバルーン（風船）３８はその中に注入した空気によって適度に膨らまされていて、そのバルーン３８の外表面には圧力センサ４０が設けられる。圧力センサ４０によって検知した圧力の大きさは、内蔵されているコンピュータ４２に伝えられる。なお、圧力センサ４０やコンピュータ４２への電源などは図示を省略している。
【００５８】
図１０の実施例の通話補助装置１０を用いる場合、たとえば図２に示すようにユーザが正しく抱擁体を抱擁しているときには、圧力センサ４０で検知する圧力の大きさは閾値を超える。一方、図１１に示すように、たとえば抱擁体１２の腕部１２ｃだけを持つなどのように、正しくない持ち方をした場合、圧力センサ４０には適正な圧力がかからない。コンピュータ４２は、圧力センサ４０の検知圧力が閾値以下の場合、抱擁体１２が正しく抱擁されていないと推定し、音や光などの適宜の報知手段（図示せず）を用いて、そのことをユーザに注意する。その注意に気づいたユーザは、抱擁体１２を正しく抱擁することができる。したがって、図１１に示すような状態では得にくい、抱擁体１２をユーザに密着させることによる癒し効果を確実に発揮させることができる。
【００５９】
図１２に示す実施例の通信補助装置１０は、バルーン３８内を適宜の空気圧にするために空気圧縮機４４を用いる。つまり、空気圧縮機４４からの出力チューブが調圧弁４６を介してバルーン３８に接続される。そして、抱擁体１２すなわちバルーン３８が軟らかすぎるときは空気圧縮機４４でバルーン３８内に空気を注入し、固すぎるときは調圧弁４６からバルーン３８内の空気を放出する。
【００６０】
この実施例によれば、癒しを感じる抱擁体１２の固さ（軟らかさ）はユーザによって違うことに着目し、空気圧縮機４４や調圧弁４６によって、抱擁体を個別のユーザにとって
最適の固さ（軟らかさ）にすることができる。
【００６１】
ただし、図１２の実施例において、空気圧縮機４４を抱擁体１２の外被１４内に設けることもできる。
【００６２】
また、図１２の実施例では、空気圧縮機４４および調圧弁４６を用いてバルーン３８の内圧を自動的に制御するものとして説明した。しかしながら、このような自動制御以外にも、ユーザの意思でバルーン３８の内圧を高めたり低くしたりすることもできる。その場合、たとえば図１２の実施例において、適宜の操作スイッチ（図示せず）を抱擁体１２の外部に設け、ユーザがその操作スイッチを操作することによって、ユーザが必要と感じたときに、バルーン３８を膨らましたり萎ませたりすることもできる。
【００６３】
図１０および図１２の実施例におして、ユーザが適当な圧力で抱擁体１２を抱擁できたとき、そのことを知らせる効果音をコンピュータ４２が出力するようにしてもよい。その効果音によってユーザは何か生き物を抱擁しているかのように感じ、癒し効果がさらに増す可能性がある。
【００６４】
なお、抱擁体１２の外被１４の中に頭部１２ａ、腕部１２ｃおよび／または足部１２ｄなどの変位機構（図示せず）を組み込んだ場合、頭部１２ａ、腕部１２ｃおよび／または足部１２ｄなどをたとえば図１３に示すように動かすことによって、ユーザに対して抱擁体１２の抱擁を喚起することもできる。つまり、この実施例では、手足を動かしてハグして欲しそうにしてみせることができる。
【００６５】
また、上述の実施例では抱擁体１２を人間のミニマルデザインに基づく外観形状のものとした。しかしながら、抱擁体１２の外観形状は任意であり、たとえば図１４や図１５に示す外観形状も考えられる。
【００６６】
図１４および図１５の実施例では、抱擁体１２は、それぞれ、全体として縦長形状を有し、上部１２Ａと、くびれ部２２を経て上部１２Ａにつながる下部１２Ｂを含む。そして、図１実施例と同様に、外被１４と内蔵物１６を含み、上部１２Ａの側面にポケット１８が設けられている。このように、抱擁体１２の外観形状は抱きやすい形であれば任意である。
【００６７】
ただし、図１４および図１５のいずれの実施例においても、図１、図３（図１６:後述）または図５のような腕通し部２４ａ、２４ｂ、２４を形成することもできる。
【００６８】
さらに、上述の各実施例に、他の1つまたは複数の実施例の特徴的な構成を任意に組み合わせることができることは勿論である。
【００６９】
図１６は通話補助装置１０の図３実施例の変形例を示し、この実施例では、図３に示す実施例に比べて、以下の点が異なる。同一または類似の部分には同一または類似の参照符号を付すことによって、重複する説明は省略する。
【００７０】
図３実施例では、抱擁体１２は、背面において胴体部１２ｂ中程から足部１２ｄの中程までつながる、幅広の帯状の布を外被１４に縫い付け、それによってユーザの両腕が挿通される１つの腕通し部２４を形成したが、図１６の実施例では、幅広の帯状体の布の長さが図３のそれより長く、抱擁体１２の背面において胴体部１２ｂ上端（くびれ部）から足部１２ｄの下端までの長さにされる。
【００７１】
図１６に示す通話補助装置１０を利用する場合、ユーザは、通話状態の携帯電話機２０がポケット１８内にある状態で、図４に示すように、左右の腕を、腕通し部２４内に、手の部分（特に右手の）が露出するように挿入することもできるが、図１７に示すように、左右の腕を、腕通し部２４内に、手の部分（特に右手の）が露出しないように挿入することもできる。図１７の場合でも、腕通し部２４（を形成する布）の長さが長いので、右手の掌が露出していなくても、抱擁体１２の頭部１２ａを自身の頭の方に押すことができる。
【００７２】
図１７の場合でも、抱擁体１２の正面側がユーザの正面に密着しかつ抱擁体１２の背面に両腕が回された状態になる。ユーザは、自分の体に抱擁体が密着することによって、安心感を得て、それによって癒しを実感する。それとともに、抱擁体１２の背面に回した両腕の前腕背側（体毛が生えている側）の皮膚が腕通し部２４を形成する幅広の状の布の内面に接触してそこから刺激を受けることによって、ユーザはさらなる癒しを実感できる。
【００７３】
さらに、上述の説明では、抱擁体１２を携帯体電話機の通話補助装置に応用した実施例として説明した。しかしながら、各実施例において、通話状態の携帯電話機を収納するためのポケット１８をなくし、抱擁体１２を単なる抱擁体として利用することも可能である。
【００７４】
また、外被１４に布のような素材を縫い付けて腕通し部２４、２４ａ、２４ｂを形成する実施例（たとえば、図１、図３、図１６の実施例）においては、たとえば面ファスナやスナップのような開閉手段を用い、ユーザが腕を通すときには開放手段を開放して通し易くし、腕を通した後は腕の皮膚に刺激を与えることができるように開閉手段を閉成するようにしてもよい。
【００７５】
さらに、上述の実施例においてポケット１８や腕通し部２４ａ、２４ｂなどは、基本的に右利き用に配置した。左利き用に配置を変更することは簡単であるので、図示は省略する。
【００７６】
また、この実施例で示した具体的な数値は単なる一例であり、限定されるべきではなく、実施される製品等に応じて適宜変更可能である。
【符号の説明】
【００７７】
１０  …携帯電話機の通話補助装置
１２  …抱擁体
１４  …外被
１６  …内蔵物
１８  …ポケット
２０  …携帯電話機
２２  …くびれ部
２４、２４ａ、２４ｂ  …腕通し部
【図１】
2015013067.tif 000003
【図２】
2015013067.tif 000004
【図３】
2015013067.tif 000005
【図４】
2015013067.tif 000006
【図５】
2015013067.tif 000007
【図６】
2015013067.tif 000008
【図７】
2015013067.tif 000009
【図８】
2015013067.tif 000010
【図９】
2015013067.tif 000011
【図１０】
2015013067.tif 000012
【図１１】
2015013067.tif 000013
【図１２】
2015013067.tif 000014
【図１３】
2015013067.tif 000015
【図１４】
2015013067.tif 000016
【図１５】
2015013067.tif 000017
【図１６】
2015013067.tif 000018
【図１７】
2015013067.tif 000019